(57)【要約】【課題】閲覧対象となるホームページにおいて、ユーザが目的とする情報を迅速に取得すること。【解決手段】操作入力画面を表示するタッチパネル部１５と、ホームページ提供者により提供されるホームページを表示するディスプレイ部１４と、ホームページに含まれる特定の情報にリンクされ、ディスプレイ部１４の表示内容を特定の情報に切り替えるリンクボタンをタッチパネル部１５に表示させる制御部３１とを備える。制御部３１は、ホームページを表示するためのソースデータに含まれるタグ情報を解析するタグ解析部３７と、タグ解析部３７の解析結果に基づいてリンクボタンをタッチパネル部１５に表示する第２表示制御部３５とを備える。【選択図】図３
2009099058.tif 000002
【特許請求の範囲】
【請求項１】
操作入力画面を表示するタッチパネルと、ホームページ提供者により提供されるホームページを表示するディスプレイと、前記ホームページに含まれる特定の情報にリンクされ、前記ディスプレイの表示内容を前記特定の情報に切り替えるリンクボタンを前記タッチパネルに表示させる制御部とを具備することを特徴とする移動体端末装置。
【請求項２】
前記制御部は、前記ホームページを表示するためのソースデータに含まれるタグ情報を解析する解析部と、前記解析部の解析結果に基づいて前記リンクボタンを前記タッチパネルに表示する表示制御部とを備えることを特徴とする請求項１記載の移動体端末装置。
【請求項３】
前記解析部が前記リンクボタンを前記タッチパネルに表示する記述を含むタグ情報を検出すると、前記表示制御部は、前記リンクボタンを前記タッチパネルに表示することを特徴とする請求項２記載の移動体端末装置。
【請求項４】
前記リンクボタンを前記タッチパネルに表示する記述は、少なくとも前記タッチパネルにおける前記リンクボタンの領域、前記リンクボタンの配色、前記リンクボタンに表示される文字の配色のいずれかを指定する記述を含むことを特徴とする請求項３記載の移動体端末装置。
【請求項５】
前記リンクボタンを前記タッチパネルに表示する記述は、前記タッチパネルに前記リンクボタンを表示するタイミングを指定する記述を含むことを特徴とする請求項３記載の移動体端末装置。
【請求項６】
前記リンクボタンを前記タッチパネルに表示する記述には、前記ディスプレイに表示されるホームページの領域に応じた表示タイミングが指定されることを特徴とする請求項５記載の移動体端末装置。
【請求項７】
前記制御部は、前記解析部の解析結果に基づいて、前記ディスプレイに表示されるホームページにおけるアクセス頻度情報を取得するアクセス頻度情報取得部を備え、前記アクセス頻度情報に応じて前記リンクボタンがリンクされる特定の情報を決定することを特徴とする請求項３記載の移動体端末装置。
【請求項８】
前記解析部が前記ディスプレイに表示されるホームページにおけるアクセス頻度情報を要求する記述を含むタグ情報を検出すると、前記アクセス頻度情報取得部は、前記アクセス頻度情報を取得することを特徴とする請求項７記載の移動体端末装置。
【請求項９】
操作入力画面を表示するタッチパネルと、ホームページ提供者により提供されるホームページを表示するディスプレイとを備えた移動体端末装置におけるリンクボタン表示方法であって、
前記ホームページを表示するためのソースデータに応じて前記ホームページを前記ディスプレイに表示し、前記ソースデータに含まれるタグ情報を解析し、前記解析部の解析結果に基づいて、前記ホームページに含まれる特定の情報にリンクされ、前記ディスプレイの表示内容を前記特定の情報に切り替えるリンクボタンを前記タッチパネルに表示することを特徴とするリンクボタン表示方法。
【請求項１０】
前記リンクボタンを前記タッチパネルに表示する記述を含むタグ情報を検出すると、前記リンクボタンを前記タッチパネルに表示することを特徴とする請求項９記載のリンクボタン表示方法。
【発明の詳細な説明】
【技術分野】
【０００１】
本発明は、移動体端末装置及びリンクボタン表示方法に関し、特に、ユーザインターフェイスとしてタッチパネルを有する移動体端末装置及びこれを用いたリンクボタン表示方法に関する。
【背景技術】
【０００２】
従来、ブラウザ機能を搭載し、通信ネットワーク上のホームページ（コンテンツ）を閲覧可能な移動体端末装置が普及している。このような移動体端末装置において、通信ネットワーク上のホームページの中からユーザにとって有用なデータのみを選択して表示可能とするものが提案されている（例えば、特許文献１参照）。この移動体端末装置によれば、画像等の容量の大きなデータを選択して表示することができるので、通信速度や描画速度が非力な移動体端末装置においても、ユーザにストレスを与えることなくホームページを閲覧することが可能となる。
【特許文献１】特開２００６−１６３７４３号公報
【発明の開示】
【発明が解決しようとする課題】
【０００３】
上述したようなブラウザ機能を有する移動体端末装置においては、更なる操作性の改善が要請されている。特に、このような移動体端末装置において、閲覧対象となるホームページにおいて、ユーザが目的とする情報を迅速に取得できるようにすることは、ユーザの利便性を確保する上で極めて重要な課題となっている。
【０００４】
本発明は、かかる課題に鑑みてなされたものであり、閲覧対象となるホームページにおいて、ユーザが目的とする情報を迅速に取得することができる移動体端末装置及びリンクボタン表示方法を提供することを目的とする。
【課題を解決するための手段】
【０００５】
本発明の移動体端末装置は、操作入力画面を表示するタッチパネルと、ホームページ提供者により提供されるホームページを表示するディスプレイと、前記ホームページに含まれる特定の情報にリンクされ、前記ディスプレイの表示内容を前記特定の情報に切り替えるリンクボタンを前記タッチパネルに表示させる制御部とを具備することを特徴とする。
【０００６】
この構成によれば、ホームページに含まれる特定の情報にリンクされ、ディスプレイの表示内容を特定の情報に切り替えるリンクボタンがタッチパネルに表示されることから、ホームページ上の項目を選択するための入力操作を必要とすることなくディスプレイの表示内容を切り替えられるので、閲覧対象となるホームページにおいて、ユーザが目的とする情報を迅速に取得することが可能となる。
【０００７】
本発明の移動体端末装置において、前記制御部は、例えば、前記ホームページを表示するためのソースデータに含まれるタグ情報を解析する解析部と、前記解析部の解析結果に基づいて前記リンクボタンを前記タッチパネルに表示する表示制御部とを備える。この場合には、ホームページを表示するためのソースデータに含まれるタグ情報に応じてリンクボタンがタッチパネルに表示されるので、ホームページ提供者の意図に応じてリンクボタンをタッチパネルに表示することが可能となる。このようにホームページ提供者の意図に応じたリンクボタンの表示を可能とすることで、ホームページ提供者が希望する情報へのアクセス促進や広告収入の拡大が期待できる。
【０００８】
例えば、本発明の移動体端末装置においては、前記解析部が前記リンクボタンを前記タッチパネルに表示する記述を含むタグ情報を検出すると、前記表示制御部は、前記リンクボタンを前記タッチパネルに表示することが考えられる。この場合には、ホームページを表示するためのソースデータに、リンクボタンをタッチパネルに表示する記述を含むタグ情報を指定するだけで、タッチパネルにリンクボタンを表示することが可能となる。
【０００９】
特に、本発明の移動体端末装置において、前記リンクボタンを前記タッチパネルに表示する記述は、少なくとも前記タッチパネルにおける前記リンクボタンの領域、前記リンクボタンの配色、前記リンクボタンに表示される文字の配色のいずれかを指定する記述を含むことが好ましい。この場合には、リンクボタンをタッチパネルに表示する記述により、リンクボタンの領域、リンクボタンの配色又はリンクボタンに表示される文字の配色を指定することができるので、ホームページ提供者による所望の態様のリンクボタンをタッチパネルに表示することが可能となる。
【００１０】
また、本発明の移動体端末装置において、前記リンクボタンを前記タッチパネルに表示する記述は、前記タッチパネルに前記リンクボタンを表示するタイミングを指定する記述を含むことが好ましい。この場合には、リンクボタンをタッチパネルに表示する記述により、タッチパネルにリンクボタンを表示するタイミングを指定することができるので、ホームページ提供者による所望のタイミングでリンクボタンをタッチパネルに表示することが可能となる。
【００１１】
特に、本発明の移動体端末装置において、前記リンクボタンを前記タッチパネルに表示する記述には、前記ディスプレイに表示されるホームページの領域に応じた表示タイミングが指定されることが好ましい。この場合には、ディスプレイに表示されるホームページの領域に応じた表示タイミングが指定されることから、ディスプレイに表示されるホームページの内容に応じたリンクボタンを表示することができるので、ホームページの表示に応じた情報を取得し易いリンクボタンを提供することが可能となる。
【００１２】
さらに、本発明の移動体端末装置において、前記制御部は、前記解析部の解析結果に基づいて、前記ディスプレイに表示されるホームページにおけるアクセス頻度情報を取得するアクセス頻度情報取得部を備え、前記アクセス頻度情報に応じて前記リンクボタンがリンクされる特定の情報を決定することが好ましい。この場合には、解析部の解析結果に基づいてディスプレイに表示されるホームページにおけるアクセス頻度情報が取得され、アクセス頻度情報に応じてリンクボタンがリンクされる特定の情報が決定されることから、当該ホームページのアクセス頻度情報に応じたリンクボタンが表示されるので、アクセス状況に対応するリンクボタンをタッチパネルに表示することが可能となる。
【００１３】
例えば、本発明の移動体端末装置においては、前記解析部が前記ディスプレイに表示されるホームページにおけるアクセス頻度情報を要求する記述を含むタグ情報を検出すると、前記アクセス頻度情報取得部は、前記アクセス頻度情報を取得することが考えられる。この場合には、ホームページを表示するためのソースデータに、ホームページにおけるアクセス頻度情報を要求する記述を含むタグ情報を指定するだけで、ホームページのアクセス頻度情報に応じたリンクボタンを表示することが可能となる。
【００１４】
本発明のリンクボタン表示方法は、操作入力画面を表示するタッチパネルと、ホームページ提供者により提供されるホームページを表示するディスプレイとを備えた移動体端末装置におけるリンクボタン表示方法であって、前記ホームページを表示するためのソースデータに応じて前記ホームページを前記ディスプレイに表示し、前記ソースデータに含まれるタグ情報を解析し、前記解析部の解析結果に基づいて、前記ホームページに含まれる特定の情報にリンクされ、前記ディスプレイの表示内容を前記特定の情報に切り替えるリンクボタンを前記タッチパネルに表示することを特徴とする。
【００１５】
この方法によれば、解析部の解析結果に基づいて、ホームページに含まれる特定の情報にリンクされ、ディスプレイの表示内容を特定の情報に切り替えるリンクボタンがタッチパネルに表示されることから、ホームページ上の項目を選択するための入力操作を必要とすることなくディスプレイの表示内容を切り替えられるので、閲覧対象となるホームページにおいて、ユーザが目的とする情報を迅速に取得することが可能となる。
【００１６】
例えば、本発明のリンクボタン表示方法においては、前記リンクボタンを前記タッチパネルに表示する記述を含むタグ情報を検出すると、前記リンクボタンを前記タッチパネルに表示することが考えられる。この場合には、ホームページを表示するためのソースデータに、リンクボタンをタッチパネルに表示する記述を含むタグ情報を指定するだけで、タッチパネルにリンクボタンを表示することが可能となる。
【発明の効果】
【００１７】
本発明による動体端末装置及びリンクボタン表示方法によれば、ホームページに含まれる特定の情報にリンクされ、ディスプレイの表示内容を特定の情報に切り替えるリンクボタンがタッチパネルに表示されることから、ホームページ上の項目を選択するための入力操作を必要とすることなくディスプレイの表示内容を切り替えられるので、閲覧対象となるホームページにおいて、ユーザが目的とする情報を迅速に取得することが可能となる。
【発明を実施するための最良の形態】
【００１８】
以下、本発明の実施の形態について添付図面を参照して詳細に説明する。なお、以下においては、本発明を移動体端末装置に具現化する場合について説明するが、当該移動体端末装置におけるリンクボタン表示方法としても成立するものである。
【００１９】
図１は、本発明の一実施の形態に係る移動体端末装置としての携帯電話装置（以下、単に「携帯電話」という）の斜視図である。なお、本実施の形態においては、移動体端末装置が携帯電話である場合について説明するが、これに限定されるものではない。後述するように、ユーザインターフェイスとしてタッチパネルを備えていれば、いかなる移動体端末装置にも適用することが可能である。
【００２０】
図１に示すように、本実施の形態に係る携帯電話１０は、ヒンジ部１１を介して折り畳み可能に構成される上側本体１２及び下側本体１３を備えている。上側本体１２及び下側本体１３には、それぞれ携帯電話１０を折り畳んだ際にその内側に配置される面にディスプレイ部１４及びタッチパネル部１５が配設されている。また、上側本体１２におけるディスプレイ部１４の下方側には、ユーザの画像を撮影する撮像装置１６が組み込まれている。さらに、下側本体１３におけるタッチパネル部１５の下方側には、ユーザの指示入力を受け付ける３つの操作ボタン１７が配設されている。
【００２１】
なお、図１に示すように、本実施の形態に係る携帯電話１０においては、下側本体１３にのみタッチパネル部１５を配設する場合について示しているが、携帯電話１０の構成についてはこれに限定されるものではなく適宜変更が可能である。例えば、上側本体１２にも、ディスプレイ部１４の代わりにタッチパネル部を配設するようにしても良い。
【００２２】
図２は、本実施の形態に係る携帯電話１０が備えるタッチパネル部１５の構造を説明するための模式図である。図２に示すように、タッチパネル部１５は、検出パネル２１と、液晶表示パネル２２と、下側本体１３に設けられた感圧センサ２３とから構成されている。なお、図２においては、検出パネル２１及び液晶表示パネル２２を下側本体１３から取り外した状態について示しているが、実際には、下側本体１３の所定位置（図２に示す破線位置）に重ね合わせた状態で使用される。
【００２３】
検出パネル２１は、操作面への接触の検出信号として、また、操作面への接触の検出座標値を検出座標信号として平面座標値（Ｘ軸２４、Ｙ軸２５）を出力するように構成されている。なお、検出パネル２１の検出機構は、抵抗膜式、超音波式、光電式、静電容量式などの一般的なタッチパネルの既存技術によるものであるため、その詳細な説明は省略する。ここでは、検出パネル２１は、下部に配置される液晶表示パネル２２に重ねて配置されるため、透明（又は半透明）の材料で構成されている。
【００２４】
液晶表示パネル２２は、例えば、既存技術のバックライト付きのＬＣＤ装置（液晶ディスプレイ装置）で構成されている。タッチパネル部１５のディスプレイ手段としては、他に、ＥＬ（エレクトロルミネッセンス）ディスプレイや、ＣＲＴ（カソードレイチューブ）ディスプレイ等の既存技術を適用することも可能である。
【００２５】
感圧センサ２３は、ユーザによる押圧操作を検出する。本実施の形態においては、４つの感圧センサ２３によりタッチパネル部１５を支持するように構成されている。そして、４つの感圧センサ２３により検出される圧力を合計して、タッチパネル部１５全体への圧力として算出する。なお、感圧センサ２３は、ユーザが操作面を強く押圧する強押圧操作を、検出パネル２１をなぞる弱押圧操作と区別して検出できるように構成されている。例えば、検出パネル２１が検出を開始する圧力の閾値よりも大きい圧力の操作で感圧センサ２３が強押圧操作を検出するように、感圧センサ２３の閾値を所定の圧力に設定することで、強押圧操作と弱押圧操作とが区別される。
【００２６】
図３は、本実施の形態に係る携帯電話１０の機能ブロック図である。なお、図３に示す機能ブロックについては、本発明を説明するために簡略化したものであり、携帯電話１０は、通常の携帯電話に必要な機能（例えば、音声通話に必要な機能、電子メール等の送受信に必要な機能、カメラの駆動に必要な機能）を備えるものとする。なお、図３において、図２と同様の構成については、同一の符号を付している。
【００２７】
図３に示すように、携帯電話１０は、装置全体の制御を行う制御部３１と、感圧センサ２３の出力信号からユーザの接触位置を検出する位置検出部３２と、通信ネットワーク上のウェブサーバ４１やログサーバ４２との間で通信を行う通信部３３とを含んで構成されている。制御部３１は、第１表示制御部３４、第２表示制御部３５、ブラウザ部３６、タグ解析部３７及びアクセス頻度情報取得部３８を備えている。なお、ウェブサーバ４１は、携帯電話１０からの要求に応じて各種のホームページ情報を配信する。ログサーバ４２は、ウェブサーバ４１が配信する全てのホームページに対するアクセスログを記録しており、携帯電話１０からの要求に応じてアクセス頻度を示す情報（以下、「アクセス頻度情報」という）を送信する。
【００２８】
第１表示制御部３４は、ディスプレイ部１４における表示を制御する。特に、ブラウザ部３６が変換した表示データを用いてディスプレイ部１４にホームページを表示する。第２表示制御部３５は、タッチパネル部１５が有する液晶表示パネル２２における表示を制御する。特に、ブラウザ部３６が変換した表示データを用いて液晶表示パネル２２にダイレクトリンクボタンを表示する。ここで、ダイレクトリンクボタンとは、ディスプレイ部１４に表示されるホームページ上の特定の情報に直接的にリンクされ、ディスプレイ部１４の表示内容を当該特定の情報に切り替えるボタンのことである。
【００２９】
ブラウザ部３６は、ウェブサーバ４１が提供するホームページを参照するための参照情報（例えば、ＵＲＬ）を用いてホームページにアクセスし、当該ホームページを表示するためのＨＴＭＬソースデータ（以下、「ＨＴＭＬソース」という）を取得する。そして、取得したＨＴＭＬソースを表示データに変換する。また、タグ解析部３７によるタグ情報の解析結果に応じて、ダイレクトリンクボタンを表示するための表示データをＨＴＭＬソースから取得する。
【００３０】
タグ解析部３７は、ＨＴＭＬソースに含まれるタグ情報の内容を解析する。特に、ＨＴＭＬソースに含まれる特定のタグ情報に、ダイレクトリンクボタンを表示するための記述（以下、「リンク表示記述」という）が含まれるか解析する。リンク表示記述を含むタグ情報が存在する場合には、その旨をブラウザ部３６に通知する。また、タグ解析部３７は、リンク表示記述のうち、当該ホームページにおけるアクセス頻度情報を要求するための記述（以下、適宜「アクセス頻度情報要求記述」という）が含まれるか解析する。アクセス頻度情報要求記述を含むタグ情報が存在する場合には、その旨をアクセス頻度情報取得部３８に通知する。さらに、アクセス頻度情報取得部３８から受け取ったアクセス頻度情報に基づいて、アクセス頻度情報要求記述を含むタグ情報の内容を一部変更する。
【００３１】
アクセス頻度情報取得部３８は、ログサーバ４２にアクセスし、ディスプレイ部１４に表示されたホームページにおけるアクセス頻度情報を要求する。そして、ログサーバ４２から取得したアクセス頻度情報をタグ解析部３７に受け渡す。アクセス頻度情報には、例えば、最もアクセス頻度が高い項目を特定する情報や、アクセス頻度が高い上位所定数の項目を特定する情報が含まれる。
【００３２】
本実施の形態に係る携帯電話１０においては、ユーザからホームページに対するアクセス要求を受け付けると、ブラウザ部３６が通信部３３を介してウェブサーバ４１からＨＴＭＬソースを取得し、このＨＴＭＬソースを表示データに変換する。第１表示制御部３４は、変換後の表示データを用いてディスプレイ部１４にホームページを表示する。第２表示制御部３５は、ＨＴＭＬソースに、リンク表示記述を含むタグ情報が含まれている場合に液晶表示パネル２２にダイレクトリンクボタンを表示する。
【００３３】
以下、本実施の形態に係る携帯電話１０のディスプレイ部１４及びタッチパネル部１５（液晶表示パネル２２）における表示内容につき説明する。ここでは、ディスプレイ部１４に表示されるホームページとして、図４に示すホームページが表示される場合について説明するものとする。図４に示すホームページにおいては、当該ホームページの提供者であるＡＢＣ社のロゴを示す画像データ（以下、「ロゴ画像データ」という）５１が上方領域の中央部に設けられている。ロゴ画像データ５１は、当該ホームページとリンクされている。このロゴ画像データ５１を選択することで、当該ホームページが最新の状態に更新される。
【００３４】
ロゴ画像データ５１の下方には、ウェブ上での情報検索を行うための情報検索欄５２が設けられている。情報検索欄５２は、検索対象情報を入力する情報入力欄５２ａと、検索処理の実行を指示する検索指示ボタン５２ｂとを有している。情報入力欄５２ａに検索対象情報を入力した後、検索指示ボタン５２ｂを選択することで、当該検索対象情報を含むウェブ上のホームページが検索され、リスト表示される。
【００３５】
情報検索欄５２の下方には、ニュースや天気などの情報を提供する情報欄５３が設けられている。情報欄５３には、各種の情報とリンクされた項目が設けられている。具体的には、ニュースに関する情報とリンクされたニュース項目５３ａ、天気に関する情報とリンクされた天気項目５３ｂ、政治に関する情報とリンクされた政治項目５３ｃ、スポーツに関する情報とリンクされたスポーツ項目５３ｄ、並びに、経済に関する情報とリンクされた経済項目５３ｅが設けられている。
【００３６】
情報欄５３の下方には、ゲームや占いなどの娯楽に関する情報を提供する娯楽欄５４が設けられている。娯楽欄５４には、情報欄５３と同様に、各種の情報とリンクされた項目が設けられている。具体的には、ゲームに関する情報とリンクされたゲーム項目５４ａ、占いに関する情報とリンクされた占い項目５４ｂ、テレビに関する情報とリンクされたテレビ項目５４ｃ、映画に関する情報とリンクされた映画項目５４ｄ、本に関する情報とリンクされた本項目５４ｅ、並びに、チケットに関する情報とリンクされたチケット項目５４ｆが設けられている。
【００３７】
娯楽欄５４の下方には、ブログやチャットなどの仲間とのコミュニケーションに関する情報を提供する仲間欄５５が設けられている。仲間欄５５には、情報欄５３と同様に、各種の情報とリンクされた項目が設けられている。具体的には、ブログに関する情報とリンクされたブログ項目５５ａ、チャットに関する情報とリンクされたチャット項目５５ｂ、メールに関する情報とリンクされたメール項目５５ｃ、並びに、掲示板に関する情報とリンクされた掲示板項目５５ｄが設けられている。
【００３８】
このようなホームページにおいて、当該ホームページとリンクされたロゴ画像データ５１や各種情報とリンクされた項目は、ＨＴＭＬソースにおいて図５に示すようなタグ情報で記述されている。図５は、図４に示すホームページを表示するためのＨＴＭＬソースの一部を説明するための図である。図５においては、図４に示すロゴ画像データ５１、娯楽欄５４のテレビ項目５４ｃ、並びに、情報欄５３の天気項目５３ｂを表示するためのタグ情報について示している。
【００３９】
図５に示すように、図４に示すホームページにおいて、当該ホームページとリンクされたロゴ画像データ５１を表示するためには、＜Ａ＞タグが用いられ、その属性として「Ｈｒｅｆ」が用いられる。そして、リンク先のＵＲＬである「ｈｔｔｐ：／／ｗｗｗ．ａｂｃ．ｃｏ．ｊｐ／」６１が指定され、その後方にホームページ上での表示文字である「ＡＢＣ」６２が指定される。なお、「ｈｔｔｐ：／／ｗｗｗ．ａｂｃ．ｃｏ．ｊｐ／」６１は、図４に示すホームページに対応付けられたＵＲＬであるものとする。
【００４０】
また、テレビに関する情報とリンクされたテレビ項目５４ｃを表示するためには、＜Ａ＞タグが用いられ、その属性として「Ｈｒｅｆ」が用いられる。そして、リンク先のＵＲＬである「ｈｔｔｐ：／／ｗｗｗ．ａｂｃ．ｃｏ．ｊｐ／テレビ．ｈｔｍ」６３が指定され、その後方にホームページ上での表示文字である「テレビ」６４が指定される。同様に、天気に関する情報とリンクされた天気項目５３ｂを表示するためには、＜Ａ＞タグが用いられ、その属性として「Ｈｒｅｆ」が用いられる。そして、リンク先のＵＲＬである「ｈｔｔｐ：／／ｗｗｗ．ａｂｃ．ｃｏ．ｊｐ／天気．ｈｔｍ」６５が指定され、その後方にホームページ上での表示文字である「天気」６６が指定される。
【００４１】
図５に示すタグ情報を含むＨＴＭＬソースに基づいて、図４に示すホームページを携帯電話１０で表示すると、ディスプレイ部１４及びタッチパネル部１５における表示内容は、図６に示すようになる。図６は、本実施の形態に係る携帯電話１０のディスプレイ部１４及びタッチパネル部１５における表示内容を説明するための図である。
【００４２】
図６に示すように、ディスプレイ部１４においては、図４に示すホームページが表示されている。なお、ここでは、図４に示すホームページの全体がディスプレイ部１４に表示される場合について示しているが、これに限定されるものではない。図４に示すホームページの一部をディスプレイ部１４に表示すると共に、適宜スクロールさせて当該ホームページの全体を閲覧できるようにしても良い。
【００４３】
また、タッチパネル部１５においては、ディスプレイ部１４に表示されたホームページの入力領域又は選択領域を示すカーソルを移動するための矢印キー及び移動先の項目を選択するための選択キーを含む矢印・選択キー領域１５ａと、ホームページの入力領域において文字を入力するための文字入力キーを有する文字入力キー領域１５ｂとが表示されている。ユーザは、矢印・選択キー領域１５ａの矢印キーで所望の項目にカーソルを移動し、当該項目を選択キーで選択することで所望の情報をディスプレイ部１４に表示することができる。また、矢印キーでカーソルを所望の入力領域に移動し、文字入力キー領域１５ｂの文字入力キーで文字入力を行うことができる。
【００４４】
なお、タッチパネル部１５の下方側に配置される操作ボタン１７は、携帯電話１０における操作内容に応じて入力可能な指示が変更される。例えば、図６に示すようなホームページの閲覧時においては、左方側に配置される操作ボタン１７ａに、入力対象となる文字種の変換機能が割り当てられ、中央に配置される操作ボタン１７ｂに、入力された文字のクリア機能が割り当てられ、右方側に配置される操作ボタン１７ｃに、ホームページのカーソルをホームポジション（初期位置）に対する移動機能が割り当てられる。なお、操作ボタン１７に割り当てられる機能は、これらに限定されるものではない。
【００４５】
本実施の形態に係る携帯電話１０においては、このようなホームページ上の特定の情報に直接的にリンクされたダイレクトリンクボタン（以下、適宜「リンクボタン」という）をタッチパネル部１５に表示させるものである。このようなリンクボタンを表示すると、ディスプレイ部１４及びタッチパネル部１５における表示内容は、図７に示すようになる。図７は、本実施の形態に係る携帯電話１０のディスプレイ部１４及びタッチパネル部１５における表示内容を説明するための図である。なお、ディスプレイ部１４には、図６と同様に図４に示すホームページが表示されている。
【００４６】
図７に示すように、タッチパネル部１５においては、リンクボタンを含むリンクボタン領域１５ｃが表示されている。ここでは、図４に示すロゴ画像データ５１、娯楽欄５４のテレビ項目５４ｃ、並びに、情報欄５３の天気項目５３ｂに対応するリンクボタンが表示された場合について示している。すなわち、図４に示すホームページとリンクされたリンクボタン１５ｄ、テレビに関する情報とリンクされたリンクボタン１５ｅ、並びに、天気に関する情報とリンクされたリンクボタン１５ｆが表示されている。ユーザは、タッチパネル部１５上でこれらのリンクボタン１５ｄ〜１５ｆを選択することで、ディスプレイ部１４の表示内容を切り替えることができる。具体的には、リンクボタン１５ｄを選択することでホームページを更新することができ、リンクボタン１５ｅを選択することでテレビに関する情報を表示でき、リンクボタン１５ｆを選択することで天気に関する情報を表示することができる。
【００４７】
また、タッチパネル部１５においては、上述した矢印・選択キー領域１５ａが表示され、文字入力キー領域１５ｂが省略される。なお、ここでは、文字入力キー領域１５ｂが省略される場合について示しているが、タッチパネル部１５の表示内容については、これに限定されるものではなく適宜変更することが可能である。例えば、タッチパネル部１５における他部分の表示内容を、リンクボタン領域１５ｃの表示範囲の大きさに応じて変更するようにしても良い。この場合、タッチパネル部１５の操作性を考慮した上で表示内容のサイズを決定することが好ましい。
【００４８】
このようなリンクボタン１５ｄ〜１５ｆは、図４に示すホームページを表示するためのＨＴＭＬソースの記述を利用して表示される。具体的には、図４に示すホームページを表示するためのＨＴＭＬソースに、リンクボタン１５ｄ〜１５ｆの表示を指示するためのリンク表示記述を含めることで、タッチパネル部１５にリンクボタン１５ｄ〜１５ｆを表示させる。図８は、図７に示すリンクボタン１５ｄ〜１５ｆを表示するためのＨＴＭＬソースの一部を説明するための図である。
【００４９】
図８に示すように、タッチパネル部１５にリンクボタン１５ｄ〜１５ｆを表示するためには、図４に示すロゴ画像データ５１、娯楽欄５４のテレビ項目５４ｃ、並びに、情報欄５３の天気項目５３ｂを表示するためのタグ情報に、リンクボタン１５ｄ〜１５ｆを表示するためのリンク表示記述７１〜７３が追加される。具体的には、それぞれのタグ情報のうち、リンク先のＵＲＬ（６１、６３、６５）と、ホームページ上の表示文字（６２、６４、６６）との間にリンクボタン１５ｄ〜１５ｆを表示するためのリンク表示記述７１〜７３が追加されている。
【００５０】
リンクボタン１５ｄを表示するためのリンク表示記述７１は、タッチパネル部１５におけるリンクボタン１５ｄの表示エリアを指定する記述７１ａと、その表示エリアに表示される画像データを指定する記述７１ｂと、リンクボタン１５ｄを表示するタイミングを指定する記述７１ｃとを含んでいる。なお、リンクボタン１５ｄを表示するタイミングを指定する記述７１ｃは、ディスプレイ部１４に表示されるホームページをスクロールする場合に採用される記述内容である。すなわち、ディスプレイ部１４に表示されているホームページの部分に応じたリンクボタンを表示しようとするものである。
【００５１】
表示エリアを指定する記述７１ａは、図７に示すリンクボタン領域１５ｃの左上方側端部を座標（０，０）とし、右下方側端部を座標（２４０，３６０）とする情報で指定されている。図８に示すように、座標（０，０）−座標（２４０，１２０）と指定することで、図７に示す位置にリンクボタン１５ｄが表示される。また、表示タイミングを指定する記述７１ｃは、ディスプレイ部１４における表示領域を上方側から４つに分割し、最上方側の領域をライン１（Ｌ１）とし、最下方側の領域をライン４（Ｌ４）とする情報で指定されている。図８に示すように、表示領域を（Ｌ０，Ｌ４）と指定することで、図４に示すホームページがディスプレイ部１４に表示されている間、常にリンクボタン１５ｄが表示されることとなる。
【００５２】
リンクボタン１５ｅを表示するためのリンク表示記述７２は、タッチパネル部１５におけるリンクボタン１５ｅの表示エリアを指定する記述７２ａと、リンクボタン１５ｅの色を指定する記述７２ｂと、リンクボタン１５ｅに表示される文字のフォント色を指定する記述７２ｃと、リンクボタン１５ｅを表示するタイミングを指定する記述７２ｄとを含んでいる。なお、表示エリアを指定する記述７２ａ及び表示タイミングを指定する記述７２ｄにおける指定方法は、リンクボタン１５ｄを表示するための記述７１と同様である。
【００５３】
図８に示すように、表示エリアを指定する記述７２ａに座標（０，１２０）−座標（２４０，２４０）と指定することで、図７に示す位置にリンクボタン１５ｅが表示される。また、表示タイミングを指定する記述７２ｄに表示領域を（Ｌ２，Ｌ４）と指定することで、図４に示すホームページのうち、上方側から２番目から下方側の領域が表示されている間、リンクボタン１５ｅが表示されることとなる。さらに、リンクボタン１５ｅの色を指定する記述７２ｂにｙｅｌｌｏｗと指定すると共に、フォント色を指定する記述７２ｃにｗｈｉｔｅと指定することで、白い文字が表示された黄色のリンクボタン１５ｅが表示される。なお、リンクボタン１５ｅに表示される文字は、ホームページ上の表示文字６４から取得される。
【００５４】
リンクボタン１５ｆを表示するためのリンク表示記述７３は、タッチパネル部１５におけるリンクボタン１５ｆの表示エリアを指定する記述７３ａと、リンクボタン１５ｆの色を指定する記述７３ｂと、リンクボタン１５ｆに表示される文字のフォント色を指定する記述７３ｃと、リンクボタン１５ｆを表示するタイミングを指定する記述７３ｄとを含んでいる。なお、表示エリアを指定する記述７３ａ及び表示タイミングを指定する記述７３ｄにおける指定方法は、リンクボタン１５ｄを表示するための記述７１と同様である。
【００５５】
図８に示すように、表示エリアを指定する記述７３ａに座標（０，２４０）−座標（２４０，３６０）と指定することで、図７に示す位置にリンクボタン１５ｆが表示される。また、表示タイミングを指定する記述７３ｄに表示領域を（Ｌ２，Ｌ４）と指定することで、図４に示すホームページのうち、上方側から２番目から下方側の領域が表示されている間、リンクボタン１５ｆが表示されることとなる。さらに、リンクボタン１５ｅの色を指定する記述７２ｂにｇｒｅｅｎと指定すると共に、フォント色を指定する記述７２ｃにｗｈｉｔｅと指定することで、白い文字が表示された緑色のリンクボタン１５ｆが表示される。なお、リンクボタン１５ｆに表示される文字は、リンクボタン１５ｅと同様に、ホームページ上の表示文字６６から取得される。
【００５６】
本実施の形態に係る携帯電話１０においては、タグ解析部３７でＨＴＭＬソースに含まれるタグ情報を解析し、このようなリンク表示記述を含むタグ情報を検出する。リンク表示記述を含むタグ情報を検出すると、その旨をブラウザ部３６に通知する。この通知を受けると、ブラウザ部３６は、ＨＴＭＬソースからリンクボタン１５ｄ〜１５ｆを表示するための表示データを取得し、第２表示制御部３５に渡す。第２表示制御部３５は、この表示データに基づいてタッチパネル部１５（液晶表示パネル２２）にリンクボタン１５ｄ〜１５ｆを表示する。
【００５７】
このようにタッチパネル部１５に表示されるこれらのリンクボタン１５ｄ〜１５ｆを選択することで、ユーザは、矢印・選択キー領域１５ａの矢印キーや選択キーに対する入力操作を必要とすることなく、ディスプレイ部１４の表示内容を切り替えることができる。具体的には、リンクボタン１５ｄを選択することでホームページを更新し、リンクボタン１５ｅを選択することでテレビに関する情報を表示し、リンクボタン１５ｆを選択することで天気に関する情報を表示することが可能となる。
【００５８】
特に、本実施の形態に係る携帯電話１０においては、リンク表示記述に、例えば、タッチパネル部１５におけるリンクボタンの領域、リンクボタンの配色、リンクボタンに表示される文字の配色を指定する記述を含めている。これにより、リンク表示記述により、リンクボタンの領域、リンクボタンの配色又はリンクボタンに表示される文字の配色を指定することができるので、ホームページ提供者による所望の態様のリンクボタンをタッチパネルに表示することが可能となる。
【００５９】
また、本実施の形態に係る携帯電話１０においては、リンク表示記述に、タッチパネル部１５にリンクボタンを表示するタイミングを指定する記述を含めている。これにより、リンク表示記述により、タッチパネル部１５にリンクボタンを表示するタイミングを指定することができるので、ホームページ提供者による所望のタイミングでリンクボタンをタッチパネル部１５に表示することが可能となる。特に、本実施の形態に係る携帯電話１０においては、ディスプレイ部１４に表示されるホームページの領域に応じた表示タイミングが指定されている。これにより、ディスプレイ部１４に表示されるホームページの内容に応じたリンクボタンを表示することができるので、ホームページの表示に応じた情報を取得し易いリンクボタンを提供することが可能となる。
【００６０】
なお、タッチパネル部１５に表示されるリンクボタンの内容については、適宜変更が可能である。例えば、ホームページ提供者が、ホームページ内の項目のうち、特にアクセスして欲しい項目を指定することが可能である。また、ホームページ内の項目のうち、アクセス頻度が高い項目をリンクボタンに設定することは、当該ホームページで注目を集めている情報をユーザに提供することが可能となるため、有用と考えられる。このため、本実施の形態に係る携帯電話１０においては、ホームページにおけるアクセス頻度が高い項目に対応するリンクボタンに表示できるように構成されている。
【００６１】
図９は、図４に示すホームページの項目のうち、アクセス頻度が高い項目に対応するリンクボタン（以下、「アクセス頻度対応リンクボタン」という）を表示するためのＨＴＭＬソースの一部を説明するための図である。なお、図９において、図８と同様のタグ情報については、同一の符号を付し、その説明を省略する。図９に示すように、図４に示すホームページの項目のうち、アクセス頻度対応リンクボタンを表示するためには、ＨＴＭＬソースに、同図に示すホームページの任意の項目に対応するリンクボタンに表示するためのタグ情報８１が記述される。このタグ情報８１には、リンク先のＵＲＬである「ｈｔｔｐ：／／ｗｗｗ．ａｂｃ．ｃｏ．ｊｐ／？．ｈｔｍ」６７が指定され、その後方に、アクセス頻度対応リンクボタンを表示するためのリンク表示記述７４が指定される。
【００６２】
アクセス頻度対応リンクボタンを表示するためのリンク表示記述７４は、タッチパネル部１５におけるアクセス頻度対応リンクボタンの表示エリアを指定する記述７４ａと、アクセス頻度対応リンクボタンの色を指定する記述７４ｂと、アクセス頻度対応リンクボタンに表示される文字のフォント色を指定する記述７４ｃと、アクセス頻度対応リンクボタンを表示するタイミングを指定する記述７４ｄと、ホームページにおけるアクセス頻度情報を要求するためのアクセス頻度情報要求記述７４ｅとを含んでいる。図９においては、アクセス頻度情報要求記述７４ｅとして、「ａｃｃｅｓｓ  ｒａｎｋ＝？」が指定されている。なお、表示エリアを指定する記述７４ａ及び表示タイミングを指定する記述７４ｄにおける指定方法は、リンクボタン１５ｄを表示するための記述７１と同様である。
【００６３】
本実施の形態に係る携帯電話１０において、タグ解析部３７は、このアクセス頻度情報要求記述７４ｅを含むタグ情報８１を検出すると、その旨をアクセス頻度情報取得部３８に通知する。この通知を受けると、アクセス頻度情報取得部３８は、ログサーバ４２から当該ホームページにおけるアクセス頻度情報を取得し、タグ解析部３７に渡す。アクセス頻度情報を受け取ると、タグ解析部３７は、アクセス頻度情報要求記述７４ｅを含むタグ情報８１の内容を一部変更する。なお、ここでは、アクセス頻度情報として最もアクセス頻度が高い項目を特定する情報が含まれるものとし、当該項目が図４に示す仲間欄５５のブログ項目５５ａであるものとする。
【００６４】
この場合、図９に示すＨＴＭＬソースに含まれるタグ情報８１の内容は、図１０に示す内容に変更される。すなわち、リンク先のＵＲＬである「ｈｔｔｐ：／／ｗｗｗ．ａｂｃ．ｃｏ．ｊｐ／？．ｈｔｍ」６７が、「ｈｔｔｐ：／／ｗｗｗ．ａｂｃ．ｃｏ．ｊｐ／ブログ．ｈｔｍ」６７に変更され、アクセス頻度情報要求記述７４ｅが、図４に示すホームページ上での表示文字である「ブログ」６８に置換される。
【００６５】
このように変換されたタグ情報８１を含むＨＴＭＬソースをブラウザ部３６が取得すると、ディスプレイ部１４及びタッチパネル部１５における表示内容は、図１１に示すようになる。図１１は、本実施の形態に係る携帯電話１０のディスプレイ部１４及びタッチパネル部１５における表示内容を説明するための図である。なお、ディスプレイ部１４には、図６と同様に図４に示すホームページが表示されている。
【００６６】
図１１に示すように、タッチパネル部１５においては、リンクボタンを含むリンクボタン領域１５ｃが表示されている。ここでは、図７と同様に、図４に示すロゴ画像データ５１、並びに、娯楽欄５４のテレビ項目５４ｃに対応するリンクボタンが表示されている。また、これらのリンクボタンの下方に、アクセス頻度対応リンクボタンとして、仲間欄５５のブログ項目５５ａに対応するリンクボタンが表示されている。すなわち、図４に示すホームページとリンクされたリンクボタン１５ｄ、テレビに関する情報とリンクされたリンクボタン１５ｅ、並びに、ブログに関する情報とリンクされたリンクボタン１５ｇが表示されている。
【００６７】
このように本実施の形態に係る携帯電話１０においては、タグ解析部３７の解析結果に基づいてディスプレイ部１４に表示されるホームページにおけるアクセス頻度情報が取得され、アクセス頻度情報に応じてリンクボタンがリンクされる特定の情報が決定されることから、当該ホームページのアクセス状況に対応するリンクボタンをタッチパネル部１５に表示することが可能となる。従って、ユーザは、タッチパネル部１５に表示されるアクセス頻度対応リンクボタンとしてのリンクボタン１５ｇを選択することで、ディスプレイ部１４に表示されるホームページ上で最もアクセス頻度の高い情報を表示することが可能となる。
【００６８】
特に、本実施の形態に係る携帯電話１０においては、タグ解析部３７がディスプレイ部１４に表示されるホームページにおけるアクセス頻度情報要求記述を含むタグ情報を検出すると、アクセス頻度情報取得部３８がアクセス頻度情報を取得する。これにより、ホームページを表示するためのソースデータに、ホームページにおけるアクセス頻度情報要求記述を含むタグ情報を指定するだけで、ホームページのアクセス頻度対応リンクボタンをタッチパネル部１５に表示することが可能となる。
【００６９】
ここで、本実施の形態に係る携帯電話１０において、タッチパネル部１５にリンクボタンを表示する際の動作について説明する。図１２は、本実施の形態に係る携帯電話１０において、タッチパネル部１５にリンクボタンを表示する際の動作について説明するためのフロー図である。
【００７０】
図１２に示すように、タッチパネル部１５を介して所望のホームページへのアクセスを受け付けると（ステップ（以下、「ＳＴ」という）１０１）、ブラウザ部３６がウェブサーバ４１に対して当該ホームページを表示するためのＨＴＭＬソースを要求する（ＳＴ１０２）。ウェブサーバ４１からＨＴＭＬソースを取得したならば（ＳＴ１０３）、ブラウザ部３６は、当該ＨＴＭＬデータを表示データに変換し、第１表示制御部３４に渡す。表示データを受け取ると、第１表示制御部３４は、ディスプレイ部１４にホームページを表示する（ＳＴ１０４）。
【００７１】
ディスプレイ部１４にホームページを表示すると同時に、タグ解析部３７は、ブラウザ部３６が取得したＨＴＭＬソースに含まれるタグ情報の内容を解析する（ＳＴ１０５）。この解析の結果、リンク表示記述を含むタグ情報が存在しない場合には（ＳＴ１０６：Ｎｏ）、タッチパネル部１５にリンクボタンが表示されることはない。この場合、第２表示制御部３５は、タッチパネル部１５に図６に示す内容を表示して処理を終了する。
【００７２】
一方、リンク表示記述を含むタグ情報が存在する場合には（ＳＴ１０６：Ｙｅｓ）、当該リンク表示記述にアクセス頻度情報要求記述が含まれるかを判定する（ＳＴ１０７）。ここで、リンク表示記述にアクセス頻度情報要求記述が含まれない場合、リンク表示記述を含むタグ情報が存在する旨をブラウザ部３６に通知する。この通知を受けると、ブラウザ部３６は、ＨＴＭＬデータからリンクボタンを表示するための表示データを取得し、第２表示制御部３５に渡す。第２表示制御部３５は、この表示データに基づいてタッチパネル部１５（液晶表示パネル２２）にリンクボタンを表示する（ＳＴ１１１）。
【００７３】
このように、タグ解析部３７がリンク表示記述を含むタグ情報を検出すると、第２表示制御部３５は、リンクボタンをタッチパネル部１５に表示する。このため、ホームページ提供者は、ホームページを表示するためのソースデータに、リンク表示記述を含むタグ情報を指定するだけで、タッチパネル部１５にリンクボタンを表示させることが可能となる。
【００７４】
アクセス頻度情報要求記述が含まれる場合、タグ解析部３７は、その旨をアクセス頻度情報取得部３８に通知する。この通知を受けると、アクセス頻度情報取得部３８は、ログサーバ４２に対してアクセス頻度情報を要求する（ＳＴ１０８）。そして、ログサーバ４２からのアクセス頻度情報を待機し、アクセス頻度情報を受信したならば（ＳＴ１０９：Ｙｅｓ）、そのアクセス頻度情報をタグ解析部３７に渡す。
【００７５】
アクセス頻度情報を受け取ると、タグ解析部３７は、アクセス頻度情報要求記述を含むタグ情報の内容を一部変更する（ＳＴ１１０）。そして、変更後のタグ情報をブラウザ部３６に渡す。ブラウザ部３６は、タグ解析部３７から受け取ったタグ情報と、ＨＴＭＬデータとからリンクボタンを表示するための表示データを取得し、第２表示制御部３５に渡す。第２表示制御部３５は、この表示データに基づいてタッチパネル部１５（液晶表示パネル２２）にリンクボタンを表示する（ＳＴ１１１）。
【００７６】
このように本実施の形態に係る携帯電話１０においては、ホームページに含まれる特定の情報にリンクされ、ディスプレイ部１４の表示内容を当該特定の情報に切り替えるリンクボタンがタッチパネル部１５に表示されることから、ホームページ上の項目を選択するための入力操作を必要とすることなくディスプレイ部１４の表示内容を切り替えられるので、閲覧対象となるホームページにおいて、ユーザが目的とする情報を迅速に取得することが可能となる。
【００７７】
特に、本実施の形態に係る携帯電話１０においては、ホームページを表示するためのＨＴＭＬソースに含まれるタグ情報に応じてリンクボタンがタッチパネル部１５に表示されるので、ホームページ提供者の意図に応じてリンクボタンをタッチパネル部１５に表示することが可能となる。このようにホームページ提供者の意図に応じたリンクボタンの表示を可能とすることで、ホームページ提供者が希望する情報へのアクセス促進や広告収入の拡大が期待できる。
【００７８】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００７９】
例えば、上記実施の形態においては、リンク先のＵＲＬ（例えば、「ｈｔｔｐ：／／ｗｗｗ．ａｂｃ．ｃｏ．ｊｐ／」６１）と、ホームページ上での表示文字（例えば、「ＡＢＣ」６２との間にリンク表示記述を含め、タッチパネル部１５にリンクボタンを表示させる場合について説明しているが、リンク表示記述を記述する態様については、これに限定されるものではなく適宜変更が可能である。ディスプレイ部１４にホームページを表示させるためのＨＴＭＬソースにおいて、タッチパネル部１５にリンクボタンを表示させることができれば、その記述内容についてはいかなる態様を採用しても良い。
【００８０】
また、上記実施の形態においては、リンク表示記述に、タッチパネル部１５におけるリンクボタンの領域、リンクボタンの配色、リンクボタンに表示される文字の配色等を指定する場合について説明しているが、リンク表示記述の内容については、これに限定されるものではなく適宜変更が可能である。リンクボタンの点滅や拡大／縮小等、ホームページ提供者の様々な意図を反映したリンクボタンの表示態様に応じたリンク表示記述の内容とすることが可能である。
【００８１】
さらに、上記実施の形態においては、ホームページを表示するためのページ記述言語としてＨＴＭＬを例にした場合について説明しているが、ホームページを表示するためのページ記述言語については、これに限定されるものではなく適宜変更が可能である。例えば、移動体端末装置向けのホームページを表示するためのページ記述言語にも適用可能である。この場合には、移動体端末装置向けのホームページを表示するためのページ記述言語で記述されたホームページを表示する場合においても、上記実施の形態と同様に、閲覧対象となるホームページにおいて、ユーザが目的とする情報を迅速に取得することができるという効果を得ることが可能となる。
【図面の簡単な説明】
【００８２】
【図１】本発明の一実施の形態に係る移動体端末装置としての携帯電話の斜視図である。
【図２】上記実施の形態に係る携帯電話が備えるタッチパネル部の構造を説明するための模式図である。
【図３】上記実施の形態に係る携帯電話の機能ブロック図である。
【図４】上記実施の形態に係る携帯電話のディスプレイ部に表示されるホームページの一例を示す図である。
【図５】図４に示すホームページを表示するためのＨＴＭＬソースの一部を説明するための図である。
【図６】上記実施の形態に係る携帯電話のディスプレイ部及びタッチパネル部における表示内容を説明するための図である。
【図７】上記実施の形態に係る携帯電話のディスプレイ部及びタッチパネル部における表示内容を説明するための図である。
【図８】図７に示すリンクボタンを表示するためのＨＴＭＬソースの一部を説明するための図である。
【図９】図４に示すホームページの項目のうち、アクセス頻度対応リンクボタンを表示するためのＨＴＭＬソースの一部を説明するための図である。
【図１０】図４に示すホームページの項目のうち、アクセス頻度対応リンクボタンを表示するためのＨＴＭＬソースの一部を説明するための図である。
【図１１】上記実施の形態に係る携帯電話のディスプレイ部及びタッチパネル部における表示内容を説明するための図である。
【図１２】上記実施の形態に係る携帯電話において、タッチパネル部にリンクボタンを表示する際の動作について説明するためのフロー図である。
【符号の説明】
【００８３】
１０  移動体端末装置（携帯電話）
１１  ヒンジ部
１２  上側本体
１３  下側本体
１４  ディスプレイ部
１５  タッチパネル部
１５ａ  矢印・選択キー領域
１５ｂ  文字入力キー領域
１５ｃ  リンクボタン領域
１５ｄ〜１５ｆ  リンクボタン
１６  撮像装置
１７  操作ボタン
２１  検出パネル
２２  液晶表示パネル
２３  感圧センサ
３１  制御部
３２  位置検出部
３３  通信部
３４  第１表示制御部
３５  第２表示制御部
３６  ブラウザ部
３７  タグ解析部
３８  アクセス頻度情報取得部
４１  ウェブサーバ
４２  ログサーバ
７１〜７４  リンク表示記述
７４ｅ  アクセス頻度情報要求記述
【図１】
2009099058.tif 000003
【図２】
2009099058.tif 000004
【図３】
2009099058.tif 000005
【図４】
2009099058.tif 000006
【図５】
2009099058.tif 000007
【図６】
2009099058.tif 000008
【図７】
2009099058.tif 000009
【図８】
2009099058.tif 000010
【図９】
2009099058.tif 000011
【図１０】
2009099058.tif 000012
【図１１】
2009099058.tif 000013
【図１２】
2009099058.tif 000014